(57)【要約】      （修正有）【課題】磁性球により吸着して様々な形状に組み立てることができ、運搬や保管する際には、４つの単一部材に分解することができ、軽量かつ小型である積み木ブロックおよびトラックの積み木玩具を提供する。【解決手段】積み木ブロックは、４つの単一部材１０および８つの磁性球を含む。各単一部材は、第１の接続バー１１、第２の接続バー１２および第３の接続バー１３を含み、第１の接続バー、第２の接続バー、第３の接続バーは「匚」形状を形成するように順に接続され、第１の接続バーおよび第３の接続バーのそれぞれの端部は第１の挿入部１１１を有し、第２の接続バーの両端は、各端部から垂直方向に延びる第２の挿入部１２１を有し、各第２の挿入部は、挿入孔１２１１を有する。全ての磁性球が第２の挿入部の挿入孔に挿入され、各単一部材の２つの第１の挿入部が対応して別の単一部材の２つの第２の挿入部の挿入孔に挿入され、４つの単一部材が直方体状に組み立てられている。【選択図】図２
0003231183.tif 000002
【実用新案登録請求の範囲】
【請求項１】
４つの単一部材と、ここで、前記各単一部材は、第１の接続バー、第２の接続バーおよび第３の接続バーを含み、前記第１の接続バー、前記第２の接続バーおよび前記第３の接続バーは、「匚」形状を形成するように順次接続され、ここで、前記第１の接続バーおよび前記第３の接続バーのそれぞれの端部は第１の挿入部を有し、前記第２の接続バーの両端位置は、各端部から垂直方向に延びる第２の挿入部を有し、前記各第２の挿入部は挿入孔を有し、各単一部材の２つの前記第１の挿入部が対応して別の単一部材の２つの第２の挿入部の前記挿入孔に挿入されることで、４つの前記単一部材が直方体状に組みたれられ、
８つの磁性球と、ここで、全ての磁性球が対応して第２の挿入部の前記挿入孔に挿入され、を含むことを特徴とする積み木ブロック。
【請求項２】
前記第１の接続バー、前記第２の接続バー、および前記第３の接続バーは、等長であり、４つの前記単一部材は、立方体形状に組み立てられる、ことを特徴とする請求項１に記載の積み木ブロック。
【請求項３】
前記各挿入孔の内部には逆留め具が設けられ、前記磁性球は、前記挿入孔に押し込まれ、前記磁性球が前記挿入孔から外れることがないように前記逆留め具によって固定される、ことを特徴とする請求項１に記載の積み木ブロック。
【請求項４】
前記逆留め具は、前記挿入孔の内壁に一体的に形成される、ことを特徴とする請求項３に記載の積み木ブロック。
【請求項５】
前記第１の接続バー、前記第２の接続バー、および前記第３の接続バーのうちの少なくとも１つは、間隔をあけて配置された複数のスペーサを有し、隣接する２つの前記スペーサは、１つのスロットを形成する、ことを特徴とする請求項１に記載の積み木ブロック。
【請求項６】
請求項１- ４のいずれか一項に記載の複数の積み木ブロックと、ここで、全ての前記積み木ブロックは、前記磁性球によって吸着されて積層され、
複数セグメントのトラックと、ここで、前記各セグメントのトラックの底部に複数の挿入部を有し、前記トラックは、それ自体の前記挿入部によって前記積み木ブロックに挿入固定され、前記トラックの全ては、順次連通されて前記各積み木ブロックの内部を通って蛇行し、を含むことを特徴とするトラックの積み木玩具。
【請求項７】
積み木ブロックの前記第１の接続バー、前記第２の接続バー、および前記第３の接続バーのうちの少なくとも１つは、間隔をあけて配置された複数のスペーサを有し、隣接する２つの前記スペーサは、１つのスロットを形成し、トラックの前記挿入部は、積み木ブロックの前記スロットに挿入固定される、ことを特徴とする請求項６に記載のトラックの積み木玩具。
【請求項８】
前記トラックの積み木玩具は、少なくとも１つの挿入ボードフレームを含み、前記各挿入ボードフレームは、そのうちの１つの前記積み木ブロックの頂部に配置され、前記挿入ボードフレームは、長方形を呈し、かつ前記挿入ボードフレームの４つの側縁のそれぞれは、間隔をあけて配置された複数のスペーサを有し、そして、隣接する２つのスペーサの間に、トラックの前記挿入部が挿入固定されるスロットを形成し、これによって、少なくとも１セグメントの前記トラックが前記挿入ボードフレームの頂部に架設される、ことを特徴とする請求項６に記載のトラックの積み木玩具。
【請求項９】
前記挿入ボードフレーム頂部に架設される前記トラック底部に設けられた複数の前記挿入部は、前記トラックが一端から他端に向かって高さが漸次低くなるように、異なる高さを有している、ことを特徴とする請求項８に記載のトラックの積み木玩具。
【請求項１０】
前記トラックの積み木玩具は、ボール発射装置を含み、前記ボール発射装置は、そのうちの１つの前記積み木ブロックの内部に設けられ、前記トラックに連通している、ことを特徴とする請求項８に記載のトラックの積み木玩具。
【考案の詳細な説明】
【技術分野】
【０００１】
本考案は、子供用の知育玩具に関し、特に、積み木ブロックおよびトラックの積み木玩具に関する。
【背景技術】
【０００２】
今、市場には多くの子供積み木玩具があり、その中のほとんどはプラスチック射出一体成形され、１つの単一部材はまた、より多くの部品から組み立てられるため、梱包や運搬の際に大きな体積を占めるだけでなく、使用者の整理や収納にも不便をもたらす。また、積み木の構造を最適に設計する必要がある。さらに、既存の個々の積み木ブロックのほとんどは、スナップ接合によって様々な形状の立体構造に組み立てられているため、組み立て時のスピードや利便性が悪いという問題があった。
【考案の概要】
【０００３】
本考案は、積み木ブロックを提供し、既存の積み木ブロックがより多くの部品で組み立てられ、体積や質量が大きく、収納、梱包や運搬に不便をもたらすという問題を解決することを目的とする。
【０００４】
上記問題を解決するために、本考案は、積み木ブロックを提供し、前記積み木ブロックは、４つの単一部材および８つの磁性球を含む。各単一部材は、第１の接続バー、第２の接続バー、および第３の接続バーを含み、第１の接続バー、第２の接続バー、および第３の接続バーは、「匚」形状を形成するように順次接続され、ここで、第１の接続バーおよび第３の接続バーのそれぞれの端部は第１の挿入部を有し、第２の接続バーの両端位置は、各端部から垂直方向に延びる第２の挿入部を有し、各第２の挿入部は挿入孔を有し、各単一部材の２つの第１の挿入部が対応して別の単一部材の２つの第２の挿入部の挿入孔に挿入されることで、４つの単一部材が直方体状に組み立てられる。全ての磁性球が対応して第２の挿入部の挿入孔に挿入される。
【０００５】
本考案１の実施例によれば、第１の接続バー、第２の接続バー、および第３の接続バーは、等長であり、４つの単一部材は、立方体形状に組み立てられる。
【０００６】
本考案１の実施例によれば、第１の接続バー、第２の接続バー、および第３の接続バーのうちの少なくとも１つは、間隔をあけて配置された複数のスペーサを有し、隣接する２つのスペーサは、１つのスロットを形成する。
【０００７】
本考案１の実施例によれば、各挿入孔の内部には逆留め具が設けられ、磁性球は、挿入孔に押し込まれ、磁性球が挿入孔から外れることがないように逆留め具によって固定される。
【０００８】
本考案１の実施例によれば、逆留め具は、挿入孔の内壁に一体的に形成される。
【０００９】
本考案の別の態様によれば、本考案は、さらにトラックの積み木玩具を提供し、前記トラックの積み木玩具は、上記積み木ブロックおよび複数セグメントのトラックを含み、全ての積み木ブロックは、磁性球によって吸着されて積層される。各セグメントのトラックの底部に複数の挿入部を有し、トラックは、それ自体の挿入部によって積み木ブロックに挿入固定され、全てのトラックは、順次連通されて各積み木ブロックの内部を通って蛇行している。
【００１０】
本考案１の実施例によれば、積み木ブロックの第１の接続バー、第２の接続バー、および第３の接続バーのうちの少なくとも１つは、間隔をあけて配置された複数のスペーサを有し、隣接する２つのスペーサは、１つのスロットを形成し、トラックの挿入部は、積み木ブロックのスロットに挿入固定される。
【００１１】
本考案１の実施例によれば、トラックの積み木玩具は、少なくとも１つの挿入ボードフレームを含み、各挿入ボードフレームは、そのうちの１つの積み木ブロックの頂部に配置され、挿入ボードフレームは、長方形を呈し、かつ挿入ボードフレームの４つの側縁のそれぞれは、間隔をあけて配置された複数のスペーサを有し、そして、隣接する２つのスペーサの間に、トラックの挿入部が挿入固定されるスロットを形成し、これによって、少なくとも１セグメントのトラックが挿入ボードフレームの頂部に架設される。
【００１２】
本考案１の実施例によれば、挿入ボードフレーム頂部に架設されるトラック底部に設けられた複数の挿入部は、トラックが一端から他端に向かって高さが漸次低くなるように、異なる高さを有している。
【００１３】
本考案１の実施例によれば、前記トラックの積み木玩具は、ボール発射装置を含み、ボール発射装置は、そのうちの１つの積み木ブロックの内部に設けられ、トラックに連通している。
【００１４】
従来技術と比較して、本解決手段は次の利点を有する。
【００１５】
本考案では、「匚」形状を呈する４つの単一部材を設けることで、各単一部材の２つの第１の挿入部を別の単一部材の２つの第２の挿入部の挿入孔に対応して挿入すると、４つの単一部材を直方体状に組み立てることができる。このような積み木ブロックは、４つの単一部材を挿入して構成され、内部は中空構造であり、構造が簡単で、質量が軽い。前記積み木ブロックは、挿入手段により分解することができ、前記複数の積み木ブロックを磁性球により吸着して様々な形状に組み立てることができるので、運搬や収納する際に、単一の前記積み木ブロックを４つの単一部材に分解して、占有体積を小さくすることができる。
【００１６】
本考案によって提供される積み木ブロックは、磁性球により互いに吸着されて堆積され、トラックは、挿入部によって積み木ブロックに挿入固定され、これにより、複数セグメントのトラックが互いに連通して各積み木ブロックの内部を蛇行している。このようにして、前記積み木ブロックの異なる数、異なる形状、および前記トラックの異なる数に加えて、それらの間に挿入する異なる方法によって、異なる三次元空間構造を有する前記トラックの積み木ブロックを組み立てることができ、創造的な遊びの余地がたくさんあり、子供の教育的発達に良い役割を果たしている。
【図面の簡単な説明】
【００１７】
【図１】本考案の実施例によって提供される前記積み木ブロックの三次元構造の概略図である。
【図２】本考案の実施例によって提供される前記積み木ブロックの構造の分解図である。
【図３】本考案の実施例によって提供される前記積み木ブロックの別の状態での構造の分解図である。
【図４】本考案の実施例によって提供される前記積み木ブロックの単一部材の構造の概略図である。
【図５】図４におけるK 位置の部分拡大図である。
【図６】本考案の実施例によって提供される前記トラックの積み木玩具の一部の三次元構造を示す概略図であり、その１セグメントのトラック形状および積み木ブロックとの係合態様を示すものである。
【図７】本考案の実施例によって提供される前記トラックの積み木玩具の別の一部の三次元構造を示す概略図であり、別の１セグメントのトラック形状および積み木ブロックとの係合態様を示すものである。
【図８】本考案の実施例によって提供される前記トラックの積み木玩具の別の一部の三次元構造を示す概略図であり、挿入ボードフレーム、積み木ブロックとトラックの間の一? 係合態様を示すものである。
【図９】本考案の実施例によって提供される前記トラックの積み木玩具の挿入ボードフレームの三次元構造の概略図である。
【図１０】本考案の実施例によって提供される前記トラックの積み木玩具の別の一部の三次元構造を示す概略図であり、ボール発射装置、積み木ブロックとトラックの間の係合態様を示すものである。
【考案を実施するための形態】
【００１８】
以下の説明は、当業者が本考案を実施できるように本考案を公開するためにのみ使用される。以下の説明における実施例は、ただの例示に過ぎず、他の明白な変形は、当業者によって考えられる。以下の説明で定義されているような本考案の基本原理は、本考案の精神および範囲から逸脱しない限り、他の実施形態、変形、改良、等価物に適用することができる。
【００１９】
図１および図２に示すように、本考案は、積み木ブロック１を提供し、特に、立方体形状で容易に着脱可能な積み木ブロック１を提供し、それは、軽量で、占有体積が小さく、収納や運搬が便利な子供用の知育玩具である。具体的には、前記積み木ブロック１は、４つの単一部材１０および８つの磁性球２０を含む。
【００２０】
各単一部材１０は、第１の接続バー１１、第２の接続バー１２、および第３の接続バー１３を含む。第１の接続バー１１、第２の接続バー１２、および第３の接続バー１３は、「匚」形状を形成するように順次接続される。ここで、第１の接続バー１１端部は第１の挿入部１１１を有し、第３の接続バー１３の端部も第１の挿入部１３１を有し、つまり、第１の接続バー１１および第３の接続バー１３のそれぞれの端部は第１の挿入部を有する。第２の接続バー１２の両端位置は、各端部から垂直方向に延びる第２の挿入部１２１を有し、各第２の挿入部１２１は挿入孔１２１１を有する。各第２の挿入部１２１の挿入孔１２１１の内部には逆留め具１２２が設けられ、逆留め具１２２は、挿入孔１２１１の内壁に一体的に形成され、かつ一定の弾性を有する。
【００２１】
各単一部材１０の２つの第１の挿入部１１１、１３１が対応して別の単一部材１０の２つの第２の挿入部１２１の挿入孔１２１１に挿入されることで、４つの単一部材１０が直方体状に組み立てられる。
【００２２】
各挿入孔１２１１には１つの磁性球２０が配置され、このようにして、８つの磁性球２０がある。全ての磁性球が対応して第２の挿入部１２１の挿入孔１２１１に押し込まれ、磁性球２０が挿入孔１２１１から外れることがないように逆留め具１２２によって固定される。このようにして、磁性球２０は、第１の挿入部１１１と第２の挿入部１２１の間に位置する。特に、第１の接続バー１１、第２の接続バー１２、および第３の接続バー１３は、等長であるため、４つの単一部材１０が立方体形状に組み立てられ、つまり、前記積み木ブロック１は立方体形状である。
【００２３】
さらに、第１の接続バー１１、第２の接続バー１２、および第３の接続バー１３のうちの少なくとも１つは、間隔をあけて配置された複数のスペーサを有する。例えば、本実施例では、第１の接続バー１１は、間隔をあけて配置された４- ５個のスペーサ１１２を有し、隣接する２つのスペーサ１１２は、１つのスロット１１０１を形成し、第２の接続バー１２は、間隔をあけて配置された４- ５個のスペーサ１２２を有し、隣接する２つのスペーサ１２２は、１つのスロット１２０１を形成し、第３の接続バー１３は、間隔をあけて配置された４- ５個のスペーサ１３２を有し、隣接する２つのスペーサ１３２は、１つのスロット１３０１を形成し、スロット１１０１、スロット１２０１およびスロット１３０１はいずれも他の追加部材、例えば、トラックを形成するための部材を挿入することができ、これによって、前記複数の積み木ブロック１を堆積して複層の構造を形成し、かつ前記各積み木ブロック１の間に連続的に接続されたトラックを形成し、１つのボールを組み当てられたトラックの一端に載せると、ボールがトラックに沿って前記積み木ブロック１の層間を移動し、トラックの他端から滑り出すことができるので、楽しくて教育的な子供の玩具となる。
【００２４】
図６- １０に示すように、本考案の別の態様によれば、本考案は、さらに上述した積み木ブロック１を含むトラックの積み木玩具を提供し、それは、子供用の知育玩具である。具体的には、前記トラックの積み木玩具は、前記複数の積み木ブロック１および複数セグメントのトラック２を含む。
【００２５】
図６および図７に示すように、複数の積み木ブロック１は、磁性球２０によって堆積され、空間内で互いに接触する隣接する２つの積み木ブロックのそれぞれの頂点位置の内側の磁性球２０は、全ての積み木ブロック１がバラバラにならないように吸着されている。このようにして、積み木ブロック１の数にかかわらず、全ての積み木ブロック１は、磁性球２０によって吸着されて堆積され得る。異なる数の積み木ブロック１は、異なる空間構造を堆積することができる。
【００２６】
各セグメントのトラック２の底部に複数の挿入部２１を有し、複数の挿入部２１は、間隔をあけてトラック２の底部に設けられる。トラック２は、自体の挿入部２１によって積み木ブロック１も挿入固定される。具体的には、第１の接続バー１１、第２の接続バー１２、および第３の接続バー１３のうちの少なくとも１つは、間隔をあけて配置された複数のスペーサを有し、積み木ブロック１の隣接するスペーサの間に、１つのスロットが形成され、トラック２の各挿入部２１が対応して積み木ブロック１のスロットに挿入されることで、全てのトラック２が順次連通されて各積み木ブロック１の内部を蛇行している。本実施例では、積み木ブロックの第１の接続バー１１、第２の接続バー１２、および第３の接続バー１３はいずれも間隔をあけて配置された複数のスペーサを有し、ここで、第１の接続バー１１は複数のスロット１１０１を有し、第２の接続バー１２は複数のスロット１２０１を有し、第３の接続バー１３は複数のスロット１３０１を有し、スロット１１０１、スロット１２０１およびスロット１３０１はそれぞれ異なる空間位置にあり、異なる形状のトラック２を積み木ブロック１に挿入すると、トラック２の異なる形状に応じて、トラック２の異なる位置の各挿入部２１は、選択的に積み木ブロック１の異なるスロットに挿入される。このようにして、全てのトラック２が順次連通されると、各積み木ブロック１の内部を蛇行している完全なトラックは組み立てられる。
【００２７】
図８に示すように、前記トラックの積み木玩具はさらに、少なくとも１つの挿入ボードフレーム３を含み、各挿入ボードフレーム３はいずれもそのうちの１つの積み木ブロック１の頂部に配置される。挿入ボードフレーム３は長方形を呈し、かつ挿入ボードフレーム３の４つの側縁のそれぞれは、間隔をあけて配置された複数のスペーサ３１を有し、そして、隣接する２つのスペーサ３１の間に、トラック２の挿入部２１が挿入固定されるスロット３０１を形成し、これによって、少なくとも１セグメントのトラック２が挿入ボードフレーム３の頂部に架設される。説明されるように、図８には４つの挿入ボードフレーム３が示されており、実際に組み立てると、４つの挿入ボードフレーム３の全てが積み木ブロック１の頂部に配置されるが、図８では、前記トラックの積み木玩具の一部のみが図示されて、底部の複数の積み木ブロック１が図示されていない。
【００２８】
図８では、複数の挿入ボードフレーム３が対応して複数の積み木ブロック１の頂部に配置され、各挿入ボードフレーム３が配置される位置の高さが異なってもよく、挿入ボードフレーム３頂部に架設されるトラック２底部の複数の挿入部２１は、トラック２が一端から他端に向かって高さが漸次低くなるように、異なる高さを有している。
【００２９】
図１０に示すように、前記トラックの積み木玩具は、さらにボール発射装置４を含み、ボール発射装置４は、そのうちの１つの積み木ブロック１の内部に設けられ、トラック２に連通している。応用する際、ボール発射装置４は、トラック２にボールを発射してもよく、このボールは、トラック２内を順次蛇行して堆積された積み木ブロック１の内部を通過し、最後はトラック２の他端から滑り出す。本考案によって提供される前記トラックの積み木玩具は、積み木ブロック１の異なる数、およびトラック２の異なる数と異なる形状に加えて、異なる組み立て方法によって、異なる空間構造を有する前記トラックの積み木玩具を組み立てることができ、創造的な遊びの余地がたくさんあり、子供の教育的発達に良い役割を果たしている。一方で、積み木ブロック１は、４つの単一部材１０に分解することができ、単一部材１０はプラスチックで作られ、軽くて体積が小さく、単一部材１０の間は磁性球２０によって吸着され、このような接続方法は分解しやすく、トラック２も複数のセグメントに分解でき、挿入ボードフレーム３およびボール発射装置４も積み木ブロック１から取り外すことができるので、前記トラックの積み木玩具全体は小さなパッケージに梱包でき、収納や持ち運びに便利である。
【００３０】
上記の説明および図面に示された本考案の実施例は、単なる例示に過ぎず、本考案を限定するものではないことは、当業者によって理解されるべきである。本考案の目的は十分かつ効果的に達成されている。本考案の機能および構造的原理は、実施例で説明されており、本考案は、記載された原理から逸脱することなく、任意の変形および修正で実施することができる。
【図１】
0003231183.tif 000003
【図２】
0003231183.tif 000004
【図３】
0003231183.tif 000005
【図４】
0003231183.tif 000006
【図５】
0003231183.tif 000007
【図６】
0003231183.tif 000008
【図７】
0003231183.tif 000009
【図８】
0003231183.tif 000010
【図９】
0003231183.tif 000011
【図１０】
0003231183.tif 000012